(57)【要約】【課題】低回転高負荷時においてプレイグニッションが発生した場合に、そのプレイグニッションを効果的に解消する。【解決手段】燃焼室内にプレイグニッションが発生したことを検出するプレイグニッション検出手段と、燃焼室内のライナに付着する燃料を抑制する燃料付着抑制手段とを備え、プレイグニッション検出手段がプレイグニッションの発生を検出した場合に、燃料付着抑制手段は、ライナに燃料が付着することを抑制することによりプレイグニッションを回避させるエンジンの制御装置とした。プレイグニッション検出手段は非共振型ノックセンサであり、ノッキング時の振動を超える振動を検出することによりプレイグニッションの発生を検出する。燃料付着抑制手段は、プレイグニッション検出手段がプレイグニッションの発生を検出した場合に、エンジンの冷却水の温度を高くすることによりライナへの燃料の付着を抑制する。【選択図】図１
2015040490.tif 000002
【特許請求の範囲】
【請求項１】
燃焼室内にプレイグニッションが発生したことを検出するプレイグニッション検出手段と、
前記燃焼室内のライナに付着する燃料を抑制する燃料付着抑制手段とを備え、
前記プレイグニッション検出手段がプレイグニッションの発生を検出した場合に、前記燃料付着抑制手段は、前記ライナに燃料が付着することを抑制することによりプレイグニッションを回避させることを特徴とするエンジンの制御装置。
【請求項２】
前記プレイグニッション検出手段は非共振型ノックセンサであり、
前記非共振型ノックセンサは、所定のしきい値を超える振動を検出することによりプレイグニッションの発生を検出することを特徴とする請求項１に記載のエンジンの制御装置。
【請求項３】
前記燃料付着抑制手段は、エンジンの冷却水の温度を制御する冷却水調整装置であり、
前記プレイグニッション検出手段がプレイグニッションの発生を検出した場合に、前記冷却水調整装置は、エンジンの冷却水の温度を高くすることにより前記ライナへの燃料の付着を抑制することを特徴とする請求項１又は２に記載のエンジンの制御装置。
【請求項４】
前記冷却水調整装置は、プレイグニッションの程度が大きくなるほど、前記冷却水の温度が高くなるように設定することを特徴とする請求項３に記載のエンジンの制御装置。
【請求項５】
前記冷却水調整装置は、プレイグニッションの程度が大きくなるほど、前記冷却水の温度を高くする時間が長くなるように設定することを特徴とする請求項３又は４に記載のエンジンの制御装置。
【請求項６】
前記燃料付着抑制手段は、燃焼室内にタンブル流を発生させるタンブル流発生手段であり、前記プレイグニッション検出手段がプレイグニッションの発生を検出した場合に、前記タンブル流発生手段は、筒内流動を強化することにより前記ライナへの燃料の付着を抑制することを特徴とする請求項１又は２に記載のエンジンの制御装置。
【請求項７】
前記燃料付着抑制手段は、燃料の噴射圧を調整する燃料噴射圧制御手段であり、前記プレイグニッション検出手段がプレイグニッションの発生を検出した場合に、前記燃料噴射圧制御手段は、燃料の噴射圧を弱めることにより前記ライナへの燃料の付着を抑制することを特徴とする請求項１又は２に記載のエンジンの制御装置。
【請求項８】
前記燃料付着抑制手段は、燃料の噴射時期を調整する燃料噴射時期制御手段であり、前記プレイグニッション検出手段がプレイグニッションの発生を検出した場合に、前記燃料噴射時期制御手段は、燃料の噴射時期を遅角させることにより前記ライナへの燃料の付着を抑制することを特徴とする請求項１又は２に記載のエンジンの制御装置。
【発明の詳細な説明】
【技術分野】
【０００１】
この発明は、プレイグニッションの発生を抑制するエンジンの制御装置に関する。
【背景技術】
【０００２】
ガソリンエンジンでは、従来から、圧縮比を１０〜１２程度に設定するのが一般的である。しかし、近年では、圧縮比をさらに高めることにより熱効率を改善し、燃費の向上を図る高圧縮比エンジンの開発が進められている。
【０００３】
高圧縮比エンジンでは、圧縮比が高く設定されるにつれて、また、過給器を搭載したエンジンでは、過給圧が高く設定されるにつれて、低回転高負荷域、あるいは、低回転高過給域において、従来では生じなかった自着火現象（以下、プレイグニッションと称する。）が発生しやすくなる。
【０００４】
プレイグニッションとは、スパークプラグによる点火よりも前に、燃料が燃焼してしまう現象である。
【０００５】
プレイグニッションが生じると、燃焼室内に急激な圧力上昇が生じ、その衝撃波がピストンやシリンダ内壁に衝突する。この衝突により、シリンダ内の温度はさらに上昇し、エンジンは所定の性能を発揮できなくなる。このため、プレイグニッションを防止するための対策が必要である。
【０００６】
なお、燃焼室内における燃料の自着火現象として、プレイグニッションの他にノッキングがある。ノッキングは、燃料と空気との混合気が燃焼過程で高温高圧になることにより、正常な燃焼が起こる前に、未燃焼混合気（エンドガス）に自然着火してしまうことに起因する。
【０００７】
燃焼室内で発生している現象が、プレイグニッションであるのかノッキングであるのかを区別する技術として、例えば、特許文献１、２に記載のものがある。
【先行技術文献】
【特許文献】
【０００８】
【特許文献１】特開２０１１−２２６４７３号公報
【特許文献２】特開２０１１−２１４４４７号公報
【発明の概要】
【発明が解決しようとする課題】
【０００９】
特許文献１、２に記載の技術では、高回転高負荷時におけるプレイグニッション発生後の回避対策として、空燃比のリッチ化や吸気弁の閉弁時期の遅角、一部の燃料の噴射時期の遅角等を段階的に行っている。しかし、低回転高負荷時におけるプレイグニッションの回避対策については、何ら開示されていない。
【００１０】
そこで、この発明の課題は、低回転高負荷時においてプレイグニッションが発生した場合に、そのプレイグニッションを速やかに解消することである。
【課題を解決するための手段】
【００１１】
上記の課題を解決するために、この発明は、燃焼室内にプレイグニッションが発生したことを検出するプレイグニッション検出手段と、前記燃焼室内のライナに付着する燃料を抑制する燃料付着抑制手段とを備え、前記プレイグニッション検出手段がプレイグニッションの発生を検出した場合に、前記燃料付着抑制手段は、前記ライナに燃料が付着することを抑制することによりプレイグニッションを回避させることを特徴とするエンジンの制御装置を採用した。
【００１２】
上記の構成において、前記プレイグニッション検出手段として非共振型ノックセンサを採用すれば、前記非共振型ノックセンサは、所定のしきい値を超える振動、すなわち、ノッキングの振動レベルを超える振動を検出することにより、プレイグニッションの発生を検出することができる。
【００１３】
前記燃料付着抑制手段として、エンジンの冷却水の温度を制御する冷却水調整装置を採用すれば、前記プレイグニッション検出手段がプレイグニッションの発生を検出した場合に、前記冷却水調整装置は、エンジンの冷却水の温度を高くすることにより前記ライナへの燃料の付着を抑制することができる。
【００１４】
また、前記燃料付着抑制手段として、燃焼室内にタンブル流を発生させるタンブル流発生手段を採用すれば、前記プレイグニッション検出手段がプレイグニッションの発生を検出した場合に、前記タンブル流発生手段は、筒内流動を強化することにより前記ライナへの燃料の付着を抑制することができる。
【００１５】
そのほか、前記燃料付着抑制手段として、燃料の噴射圧を調整する燃料噴射圧制御手段を採用すれば、前記プレイグニッション検出手段がプレイグニッションの発生を検出した場合に、前記燃料噴射圧制御手段は、燃料の噴射圧を弱めることにより前記ライナへの燃料の付着を抑制することができる。
【００１６】
前記燃料付着抑制手段として、燃料の噴射時期を調整する燃料噴射時期制御手段を採用すれば、前記プレイグニッション検出手段がプレイグニッションの発生を検出した場合に、前記燃料噴射時期制御手段は、燃料の噴射時期を遅角させることにより前記ライナへの燃料の付着を抑制することができる。
【発明の効果】
【００１７】
この発明は、プレイグニッション検出手段がプレイグニッションの発生を検出した場合に、燃料付着抑制手段が、燃焼室内のライナに燃料が付着することを抑制するので、プレイグニッションを速やかに解消することができる。
【００１８】
また、低回転高負荷時におけるプレイグニッションは、ノッキング時に生じる振動よりも強い振動を伴うので、プレイグニッション検出手段として非共振型ノックセンサを採用し、所定のしきい値を超える振動を検出することによりプレイグニッションの発生を速やかに検出することができる。
【図面の簡単な説明】
【００１９】
【図１】この発明の一実施形態のエンジン及びエンジンの制御装置の構成を示す要部拡大正面図である。
【図２】同実施形態のエンジンの制御を示すフローチャートである。
【図３】低回転高負荷時におけるプレイグニッションの発生領域を示すグラフ図である。
【図４】ノッキングが発生した場合の振動の波形を示すグラフ図である。
【図５】プレイグニッションが発生した場合の振動の波形を示すグラフ図である。
【図６】目標水温のマップ図である。
【図７】水温補正値のグラフ図である。
【図８】水温補正時間のグラフ図である。
【図９】水温補正値のグラフ図である。
【発明を実施するための形態】
【００２０】
以下、この発明の一実施形態を図面に基づいて説明する。この実施形態は、自動車用の４サイクルガソリンエンジンの制御装置である。図１は、このエンジンが備える１つの気筒における燃焼室３の要部、及び、エンジンの制御装置の構成を示すものである。これらの図面では、この発明に直接関係する部材、手段のみを示し、他の部材等については図示省略している。
【００２１】
図１に示すように、エンジンのシリンダ１内にはピストン２が収容されている。シリンダ１の内壁面、及び、ピストン２の頂面等により燃焼室３が形成されている。シリンダ１の内壁面は、そのシリンダ１に圧入された筒状のライナ３ａで形成されており、ピストン２外周のピストンリングとの摺動をスムーズにしている。
【００２２】
また、シリンダ１には、混合気を燃焼室３に導く吸気ポート５、燃焼室３からの排気を送り出す排気ポート７、及び、シリンダヘッド側から気筒の筒軸方向に沿って下向きに配置された点火プラグ４等が備えられている。
【００２３】
なお、図面では、一つのシリンダ１のみを示しているが、エンジンは、単気筒であってもよいし、複数のシリンダ１を備えた多気筒であってもよい。
【００２４】
吸気ポート５には、その吸気ポート５内に燃料を噴射する燃料噴射装置として、ポート噴射弁９が設けられている。ポート噴射弁９は、吸気ポート５の流路内の吸入空気に燃料を噴射し混合気を形成する。また、シリンダ１には、燃焼室３内に直接燃料を噴射する筒内燃料噴射装置として直噴弁１０が設けられている。
【００２５】
吸気ポート５には、燃焼室３への開口部を開閉する吸気バルブ６が設けられている。また、排気ポート７には、燃焼室３への開口部を開閉する排気バルブ８が設けられている。
【００２６】
これらの吸気バルブ６及び排気バルブ８は、シリンダヘッド側に設けたカムシャフトにバルブリフタを介して接続されているので、カムシャフトの回転によって、所定のタイミングで吸気ポート５、排気ポート７を開閉する。カムシャフトへの動力の伝達は、カムシャフト側に設けたスプロケットとクランクシャフト側に設けたスプロケットとの間をタイミングチェーン等で連結することにより行われている。
【００２７】
吸気バルブ６や排気バルブ８、点火プラグ４、ポート噴射弁９、直噴弁１０、その他エンジンの動作に必要な機器は、それぞれケーブルを通じて、電子制御ユニット（Ｅｌｅｃｔｒｏｎｉｃ  Ｃｏｎｔｒｏｌ  Ｕｎｉｔ）２０に備えられた制御手段によって制御される。この実施形態では、電子制御ユニットのコンピュータの一部を、エンジンの制御手段として用いている。
【００２８】
このエンジンは、燃焼室３内にプレイグニッションが発生したことを検出するプレイグニッション検出手段ｓを備える。この実施形態では、プレイグニッション検出手段ｓとして、シリンダブロックの振動を検出することができる非共振型ノックセンサ１１を採用している。
【００２９】
非共振型ノックセンサ１１は、シリンダブロック等に固定され、内蔵の圧電素子により振動を電圧に変換する機能を有する。非共振型であるので、ノッキング時の振動に限定されることなく、プレイグニッション時を含めた広範囲の振動周波数や振動レベルに対応することができる。非共振型ノックセンサ１１から出力される電圧の値により、振動レベルの数値、ノッキングやプレイグニッションの発生の有無を検出、判別することができる。
【００３０】
プレイグニッションは、ノッキング時に生じる振動よりも強い振動を伴う。特に、低回転高負荷時において、プレイグニッションは、ノッキング時に生じる振動よりもかなり強い振動を伴う。このため、非共振型ノックセンサ１１が、所定のしきい値、すなわち、ノッキングの振動レベルを超える振動を検出することにより、その振動がノッキングによるものではなく、プレイグニッションによるものであると判別でき、プレイグニッションの発生を検出することができる。
【００３１】
しきい値は、ノッキング時に生じ得る振動の最大強さよりも高い値に設定すればよい。発生する振動がしきい値を超えることで、燃焼室３内で発生している現象が、ノッキングではなく、プレイグニッションであることを検出することができる。
【００３２】
検出した振動が、ノッキングによるものであるか、プレイグニッションによるものであるかの判別は、電子制御ユニット２０が備える振動判別手段２４が行うことができる。また、この判別を、非共振型ノックセンサ１１自身が行ってもよい。
【００３３】
また、このエンジンは、燃焼室３内のライナ３ａに付着する燃料を抑制する燃料付着抑制手段を備える。この実施形態では、燃料付着抑制手段として、エンジンの冷却水の温度を制御する冷却水調整装置１２を採用している。冷却水調整装置１２は、例えば、ラジエータへの冷却水の流通量を調整することにより、冷却水の温度を自由に制御できる電制サーモスタットでもよいし、ラジエータへ向かって送り出す冷却水の量を調整することにより、冷却水の温度を自由に制御できる電動ウォーターポンプ等であってもよい。
【００３４】
この燃料付着抑制手段を制御するための付着抑制制御手段２１は、電子制御ユニット２０のコンピュータに備えられる。この実施形態では、付着抑制制御手段２１は、ケーブル等を通じて、前記電制サーモスタットや電動ウォーターポンプ等に動作の指令を出している。
【００３５】
電子制御ユニット２０が備えるエンジン情報取得手段２２は、制御に必要な冷却水の温度の情報や、エンジンの回転数、負荷の情報等をエンジンから取得し、その情報を付着抑制制御手段２１による制御に活用している。また、エンジン情報取得手段２２は、非共振型ノックセンサ１１や振動判別手段２４からの情報、特に、ノッキングやプレイグニッションの発生の有無の情報を取得する。
【００３６】
プレイグニッション検出手段ｓがプレイグニッションの発生を検出し、エンジン情報取得手段２２がプレイグニッションの発生の情報を取得すると、付着抑制制御手段２１は、エンジンの冷却水の温度が高くなるように冷却水調整装置１２を制御する。
【００３７】
冷却水の温度が上がれば、シリンダ１及びその内部ライナ３ａの温度は上昇し、燃料の気化が促進されることから、ライナ３ａに燃料が付着することが抑制される。
【００３８】
ライナ３ａに付着する燃料が少なくなれば、ライナからのオイルの飛散が生じにくくなり、プレイグニッションを効果的に回避することができると考えられている。すなわち、既に発生しているプレイグニッションを速やかに解消させることができる。
【００３９】
このエンジンの制御方法を、図２のフローチャート及び図３〜図９に示すマップ図やグラフ図を基に説明する。
【００４０】
図２に示すように、まず、エンジン回転数と負荷読込を行う。情報の読み込みは、電子制御ユニット２０のエンジン情報取得手段２２が行う（図中のステップＳ１参照）。
【００４１】
読み込まれたエンジン回転数と負荷の情報に基づき、現在の運転状況が、図３の左上、網掛け部分に示す低回転高負荷時におけるプレイグニッション発生領域ｐであるかどうかが判別される。プレイグニッション発生領域ｐは、低回転高負荷時特有のプレイグニッションが発生しやすい領域であり、この情報は、予め、電子制御ユニット２０に記憶されている。判別は、電子制御ユニット２０が備える運転状況判別手段２３が行う（図中のステップＳ２参照）。なお、過給器が搭載されたエンジンの場合は、低回転高過給時特有のプレイグニッションが発生しやすい領域が、このプレイグニッション発生領域ｐに対応する。
【００４２】
現在の運転状況がプレイグニッション発生領域ｐにない場合は、そのまま運転を継続する。現在の運転状況がプレイグニッション発生領域ｐにある場合は、プレイグニッションが発生する可能性が高いので、ステップＳ３へ移行する。
【００４３】
ステップＳ３では、プレイグニッション検出手段ｓとしての非共振型ノックセンサ１１からの出力された電圧又は振動の数値（以下、プレイグニッション検出手段ｓからの出力情報を「ノックセンサ出力」と称する。）が、予め設定されたしきい値である第一の所定値（以下、「所定値１」と称する。）以上であるかどうかが判別される。
【００４４】
ノックセンサ出力が所定値１未満である場合は、ノッキングやプレイグニッションはいずれも発生していないと判別され、そのまま運転を継続する。ノックセンサ出力が所定値１以上である場合は、ノッキング又はプレイグニッションが発生していると判別され、ステップＳ４へ移行する。
【００４５】
ステップＳ４では、ノックセンサ出力が、予め設定されたしきい値である第二の所定値（以下、「所定値２」と称する。）以上であるかどうかが判別される。
【００４６】
ノックセンサ出力が所定値２未満である場合は、プレイグニッションは発生しておらず、ノッキングが発生していると判別され、ステップＳ６へ移行する。ステップＳ６では、点火時期の遅角など、通常のノック制御、すなわち、通常運転時に行われるノッキング回避制御が行われる。ノッキングが解消すれば、通常の運転を継続する。
【００４７】
出力された振動の数値が所定値２以上である場合は、ノッキングは発生しておらず、プレイグニッションが発生していると判別され、ステップＳ５へ移行する。ステップＳ５では、プレイグ回避制御、すなわち、以下のプレイグニッション回避制御が行われる。
【００４８】
この実施形態では、燃料付着抑制手段として、エンジンの冷却水の温度を制御する冷却水調整装置１２を採用しているので、プレイグニッション回避制御として、付着抑制制御手段２１は、冷却水調整装置１２を通過する水量を減らし、冷却水の温度を上昇させる制御を行う。具体的には、電制サーモスタットの作動温度（冷却水の流通を許容する最低設定温度）を上昇させるか、電動ウォーターポンプの吐出量を制限する等の制御である。
【００４９】
これにより、冷却水の温度とともに、シリンダ１及びその内部のライナ３ａの温度は上昇し、燃料の気化が促進される。気化の促進により、ライナ３ａに燃料が付着することが抑制され、プレイグニッションは解消する。プレイグニッションが解消すれば、通常の運転を継続する。
【００５０】
なお、所定値１については、ノッキング時に生じる振動の大きさを基に決定することができる。所定値１としては、例えば、図４に示すように、ノッキング時に生じる定常的な振動の大きさ、あるいは、振動の平均値等とすることができる。すなわち、所定値１は、検出した振動が所定値１以上であれば、ノッキングが生じていると判別できる数値である。
【００５１】
所定値２については、プレイグニッション時に生じる振動の大きさを基に決定することができる。所定値２としては、例えば、図５の中央に示すように、ノッキング時の振動よりも突出して高い数値を示すプレイグニッション時に生じる振動の数値と、ノッキング時に生じ得る振動の最大値の間の数値とすることができる。図５の中央に示す振幅の大きい突出した波形が、プレイグニッションによるものであり、その両側の小さな振幅の波形が、ノッキングによるものである。すなわち、所定値２は、検出した振動が所定値２以上であれば、少なくともプレイグニッションが生じていると判別できる数値である。
【００５２】
ここで、電制サーモスタット等で水温を制御する際、通常は、例えば、図６のマップ図に示すように、ノッキングを回避することを目的として、高負荷になるほど水温が低くなるように設定される。
【００５３】
この発明では、図７に示すように、ノックセンサ出力が大きくなるほど、すなわち、プレイグニッションの程度が大きくなるほど、冷却水の温度が高くなるように設定される。図７の縦軸は、設定される水温の数値、すなわち、水温補正値を示す。横軸は「ノックセンサ出力−所定値１」としているが、「ノックセンサ出力−所定値２」としてもよい。このグラフ図に示すように、設定できる水温には自ずから上限があるため、ノックセンサ出力が一定値以上大きくなっても、或る上限温度で、それ以上の温度上昇を制限することになる。
【００５４】
図８は、水温上昇時間補正のマップ図である。図８の縦軸は、設定される水温補正の継続時間、すなわち、水温補正時間を示す。横軸を「ノックセンサ出力−所定値１」としている点は同様である。水温補正時間、すなわち、水温を高くする時間は、通常は数十秒程度であるので、ノックセンサ出力が大きくなるほど、すなわち、プレイグニッションの程度が大きくなるほど、水温補正の継続時間も長く設定される。
【００５５】
図９は、水温補正を継続させる時間、すなわち、水温上昇時間が終了した後の、水温の変化を示す。図９の縦軸は、設定される水温の数値、すなわち、水温補正値を示す。横軸は経過時間としている。このグラフ図に示すように、水温上昇時間が終了すると、水温は、徐々に通常の目標水温に戻される。
【００５６】
上記実施形態では、燃料付着抑制手段として、エンジンの冷却水の温度を制御する冷却水調整装置１２を採用したが、燃料付着抑制手段として、ライナ３ａへの燃料の付着を抑制する機能を有する他の手段を採用してもよい。
【００５７】
例えば、燃料付着抑制手段として、燃焼室３内に、シリンダヘッド側とクランクシャフト側とを結ぶ上下方向への旋回流であるタンブル流を発生させるタンブル流発生手段を採用してもよい。
【００５８】
タンブル流発生手段は、例えば、吸気ポート５の燃焼室３への開口部に設けられ、吸気ポート５から燃焼室３側への気流を、クランクシャフト側に誘導するタンブルコントロールバルブ等であってもよい。また、タンブルコントロールバルブは、吸気ポート５の燃焼室３への開口部以外の部分に設けた吸気通路を開閉するものであって、その吸気通路から導入される気流により、燃焼室３内にタンブル流を生じさせるものであってもよい。電子制御ユニット２０の付着抑制制御手段２１は、ケーブル等を通じて、このタンブルコントロールバルブに動作の指令を出すことができる。
【００５９】
プレイグニッション検出手段ｓがプレイグニッションの発生を検出した場合に、タンブル流発生手段は、燃焼室３内にタンブル流を発生させることにより筒内流動を強化する。筒内流動の強化により、ライナ３ａへの燃料の付着を抑制することができる。
【００６０】
また、燃料付着抑制手段として、燃料の噴射圧を調整する燃料噴射圧制御手段を採用してもよい。燃料噴射圧制御手段は、ポート噴射弁９の噴射量を調整するものであってもよいが、燃焼室３内に直接燃料を噴射する直噴弁１０を制御するものであることが望ましい。
【００６１】
プレイグニッション検出手段ｓがプレイグニッションの発生を検出した場合に、燃料噴射圧制御手段は、燃料の噴射圧を弱める。これにより、燃料が噴射時の初速によって直進しようとする貫徹力は減少し、ライナ３ａへの燃料の付着を抑制することができる。
【００６２】
さらに、燃料付着抑制手段として、燃料の噴射時期を調整する燃料噴射時期制御手段を採用してもよい。燃料噴射時期制御手段は、同じく、ポート噴射弁９の噴射時期を調整するものであってもよいが、直噴弁１０を制御するものであることが望ましい。
【００６３】
プレイグニッション検出手段ｓがプレイグニッションの発生を検出した場合に、燃料噴射時期制御手段は、燃料の噴射時期を遅角させることによりライナ３ａへの燃料の付着を抑制することができる。燃料の噴射時期を遅角することにより、ピストン２の頂面に当たる燃料が増加し、ライナ３ａに当たる燃料が減少するからである。
【００６４】
この実施形態では、プレイグニッション検出手段ｓとして振動センサ、特に、非共振型ノックセンサを用いたが、プレイグニッション時の振動を検出できる他の振動センサを用いてもよい。また、振動センサに代えて、燃焼室３内の圧力を検出できる筒内圧センサや、燃焼室３内での火炎の発生を検出できるイオン電流センサ等を用いてもよい。
【００６５】
なお、上記特許文献１、２に示す従来の技術では、筒内圧センサや振動センサを用いて、シリンダに発生している振動強度の最大値が、所定のしきい値を超えた場合に点火時期の遅角を行い、その遅角により振動強度が低減するか否かによって、プレイグニッションとノッキングとを区別していた。
【００６６】
また、上記従来の技術では、筒内圧センサや振動センサとは別に、燃料の燃焼により生じる火炎を検出するイオン電流センサを併用することにより、通常の燃焼時やノッキング発生時とは異なるプレイグニッション特有の火炎発生タイミングを検出し、プレイグニッションとノッキングとを区別していた。
【００６７】
この発明によれば、プレイグニッション検出手段ｓとして非共振型ノックセンサ１１を採用したことにより、低速高負荷運転時において、プレイグニッションとノッキングとを瞬時に区別できる。すなわち、点火時期の遅角後の反応を待ってその区別を行う上記技術と比べて、円滑でスピーディな制御が可能である。
【００６８】
また、プレイグニッション検出手段ｓとして非共振型ノックセンサを用いれば、ノッキングの検出とプレイグニッションの検出を同一のセンサで行うことができる。このため、筒内圧センサや振動センサとは別にイオン電流センサを併用していた上記技術と比べて、装置の簡略化、低コスト化が可能である。
【符号の説明】
【００６９】
１  シリンダ
２  ピストン
３  燃焼室
４  点火プラグ
５  吸気ポート
６  吸気バルブ
７  排気ポート
８  排気バルブ
９  燃料噴射装置（ポート噴射弁）
１０  筒内燃料噴射装置（直噴弁）
１１  非共振型ノックセンサ
１２  冷却水調整装置
２０  電子制御ユニット(Ｅｌｅｃｔｒｏｎｉｃ  Ｃｏｎｔｒｏｌ  Ｕｎｉｔ)
２１  付着抑制制御手段
２２  エンジン情報取得手段
２３  運転状況判別手段
２４  振動判別手段
ｓ  プレイグニッション検出手段
【図１】
2015040490.tif 000003
【図２】
2015040490.tif 000004
【図３】
2015040490.tif 000005
【図４】
2015040490.tif 000006
【図５】
2015040490.tif 000007
【図６】
2015040490.tif 000008
【図７】
2015040490.tif 000009
【図８】
2015040490.tif 000010
【図９】
2015040490.tif 000011